(57)【要約】【課題】  バットの先端内部に、振動を抑制するおもりを配置することで打撃・素振り練習の両用が可能となる鉄製バットを提供する。【解決手段】  振動誘発部１Ａ、溝１Ｂ、振動伝導部（レール状凸部）１Ｃ及び１Ｃ′を一体とするおもり２を形成、前記おもりをパイプ状の鉄製バット３の先端内部にレール状の凸部１Ｃ及び１Ｃ′を介して圧着・固定させ、バットの先端を閉塞させる。【選択図】図３
2008061993.tif 000002
【特許請求の範囲】
【請求項１】
円柱状のおもりに、振動伝導部となる細長いレール状の凸部を形成し、また、前記おもりの端部に円周に沿って溝を設けることにより、薄板状の振動誘発部を形成させ、管状鉄製バットの先端内部に前記おもりと一体となった前記細長いレール状の凸部を介して圧着・固定させ、バットの先端は閉塞することを特徴とする打撃・素振り練習用バット。
【請求項２】
請求項１に記載のおもりは、管状の鉄、他金属等適宜部材の先端内部に取り付けることができることを特徴とする請求項１に記載の打撃・素振り練習用バット。
【請求項３】
円柱状、多角柱状或いは前記とは異なる柱状の鉄、他金属等適宜部材に、振動伝導部となる細長いレール状の凸部を前記各柱状の部材と一体に形成し、前記柱状の部材の端部に円周に沿って溝を設けることにより、薄板状の振動誘発部を形成させ、一つの装置として構築する。前記一つの装置を、動力発生機等の振動を発生する機材・器具等の適当な部位に取り付けることができることを特徴とする振動抑制装置。
【発明の詳細な説明】
【技術分野】
【０００１】  本発明は、ボールを打った時の振動をバットの手元側ではなく、先端方向に伝導することにより手に及ぼす振動を抑制し、通常の打撃を可能にした、打撃・素振り練習用鉄製バットに関するものである。
【背景技術】
【０００２】  従来の鉄製バットは、筋力向上を目的に素振り練習或いは軽いトスバッティングをするためのものであった。
【発明の開示】
【発明が解決しようとする課題】
【０００３】  従来の鉄製バットは通常のバットより径が小さいために、ボールを捉える芯が狭く、よって打ち損じが多かった。このようにボールを打ち損じた時にグリップを握った手に伝わる振動や衝撃は手や体を疲労させるため、鉄製バットは、軽いトスバッティング或いはボールは打たずに素振り用として使用することが多かった。【０００４】  また、従来の鉄製バットは直棒状であり、通常のバットのように先端が大きく重く、またグリップ部分が細くて軽いというような支点のバランスを調整する機能を備えたものがなかった。【０００５】  本発明は、このような従来の素振り練習による筋力向上を目的とした鉄製バットの欠点を補い、打撃、素振り練習の両用を可能とした鉄製バットを提供することを目的とするものである。
【課題を解決するための手段】
【０００６】  上述した課題を解決し、目的を達成するために、請求項１に記載の本発明は、円柱状のおもりの端部に円周に沿い、前記円周に対して垂直に細く深く形成した溝と、前記溝を形成することにより構築される薄板状の振動誘発部と、さらに、前記おもりの円周長手方向に複数の細長いレール状の凸部をおもりと一体に形成し振動伝導部とする。おもりは、前記振動伝導部を介してパイプ状鉄製バットの先端内部長手方向に圧着・固定し、前記おもりとバットの内壁の接点は前記振動伝導部のみであり、他は空間となっている。また、鉄製バットの先端は閉塞させる。前記のバットの先端に前記おもりを配置することにより、振動の伝導を手元側ではなく、バットの先端方向に伝導させることができ、効果的に振動エネルギーをバットの先端部から放出させることができる。【０００７】  また、前記おもりはパイプ状の鉄製バットの先端に接着することで、バットのバランスを調整する釣り合いおもりの役割を果たすことができる。【０００８】  また、請求項２に記載の本発明は、鉄以外の金属等適宜部材の先端内部に［０００６］に記載同様に圧着・固定することができる。【０００９】  請求項３に記載の本発明は、円柱状、多角柱状或いは異なる柱状の鉄、他金属等適宜部材に、振動を伝導する役目の細長いレール状の凸部を前記各柱状の部材に一体に形成し、前記柱状の部材の端部に円周に沿って溝を設けることにより、薄板状の振動誘発部を形成させ、一つの振動抑制装置を構築する。前記振動抑制装置は、原動機、発動機などの電力発生機類の中で振動を発生する機材、器具等の適当な部位に取り付け振動を抑制することを可能とする。【００１０】  上記記載の解決手段の作用は次の通りである。振動は弱い部位に伝導するという特性を生かし、鉄製バットの先端に構造上弱い部位、つまり振動に対して抵抗力が乏しい部位である振動誘発部を形成することにより、振動エネルギーを効率的に集め、外部へ放出させることができる。また、振動を抑制するおもりをバットの手元側ではなく、先端に配置することにより、打撃時の振動をバットの先端方向に伝え、手元に伝わる振動を和らげ、バットの芯を広げることができるとともに、ボールに対する反発力を高め、遠くへ飛ばすことができ、打撃可能な鉄製バットが提供できる。また、先端部におもりを配置することにより前記おもりは、釣り合いおもりの役割を果たし、バットの支点を任意の位置に設けることができる。よって、鉄製バットの手元側と先端部のバランスが保たれ、さらに、おもり効果により遠心力が働き、バットをシャープに振ることができるため、素振り練習用バットとしても効果をもたらす。
【発明の効果】
【００１１】  上述したように、打撃時の振動をバットの先端方向に伝えることにより、手に伝わる振動を和らげ、打撃後の手ｊや体に残る疲労や筋肉痛が軽減され、簡単な打撃練習或いは素振りだけの練習しかできなかった鉄製バットで通常の打撃を可能にする。【００１２】  振動を抑制することにより、従来の鉄製バットの狭かった芯を通常のバットの芯の広さに近づけることができ、ボールに対する反発力を高め、遠くへ飛ばすことができる。さらに、径の小さい鉄製バットで打撃練習をすることにより、ミート力、技術力を高めることができる。【００１３】  鉄製バットの先端に設置したおもりの効果により、バットのバランスを調整する支点を生むとともに、おもりによる振り子効果を発揮、それにより遠心力が働き、ヘッドがぶれずにバットをシャープに振ることができるため、素振り練習用バットとしても最適である。【００１４】  また、請求項３に記載の鉄製バットとは全く別の機材に振動抑制装置を取り付けることにより、例えばモーターカー、草刈り機等、振動を起こす機材への取り付けにより振動を抑制することができ、体への負担が軽減される。
【発明を実施するための最良の形態】
【００１５】  以下、本発明の実施の形態を図１〜図６に基づいて説明する。ただし、各実施の形態によって、本発明が限定されるものではなく、以下の実施の形態は、本発明を打撃、素振り練習をする鉄製バットについての例として説明するが、本発明は任意の打撃、素振り練習用バットにおいても適用可能であり、この説明の図の項に限定されるものではない。【００１６】  図１は、振動を抑制するおもり２の斜視図を表したものであり、振動誘発部１Ａ、溝１Ｂ、振動伝導部１Ｃ・１Ｃ′から構成される。前記おもり２の端部に円周に対して溝１Ｂを前記円周に対して垂直に形成する。この溝１Ｂを形成することにより必然的に、振動誘発部１Ａが形成される。振動誘発部１Ａは、振動をさらに増幅させるために、薄く形成することが最も効果的であり、また、円柱状のおもり長手方向にレール状の凸部の振動伝導部１Ｃ・１Ｃ′をおもり２と一体に成型することにより、打撃時の振動がこの振動伝導部１Ｃ・１Ｃ′を伝わり振動誘発部１Ａに伝わるように形成する。【００１７】  図２は、振動を抑制するおもり２の正面図を表したものであり、振動誘発部１Ａ、溝１Ｂ、振動伝導部１Ｃ・１Ｃ′から構成される。振動伝導部１Ｃの長さは、おもり２の長手方向端部から溝１Ｂの下まで形成され、振動誘発部１Ａの一方の端部は管状鉄製バットの内壁から離し、固定させず自由にさせておくことが肝心である。振動伝導部１Ｃ′はおもりの端部から端部まで形成させることにより、振動エネルギーは振動伝導部１Ｃ′を通り振動誘発部１Ａに素直に振動エネルギーを伝えることができ、薄く形成された振動誘発部１Ａに伝導された振動エネルギーは増幅され、さらに振動を呼び込み、加えて振動を放出させる役目を果たす。【００１８】  図３は、振動を抑制するおもり２の平面図を表したものであり、振動伝導部１Ｃ・１Ｃ′と一体成型されたおもり２から構成される。点線は、おもりの端部に形成される溝１Ｂの切れ込みの停止位置である。【００１９】  図４は、鉄製バットとおもり２が合体した側面の断面図を表したものであり、振動誘発部１Ａ、おもりの端部に形成される溝１Ｂ、振動伝導部１Ｃ・１Ｃ′、管状鉄製バット３、空間部４から構成される。振動誘発部１Ａの一方の端部は、管状鉄製バット３の内壁に接触させないように振動伝導部１Ｃに支持されて配置する。管状鉄製バット３の前記内壁に振動誘発部１Ａの前記一方との接点がないことにより前記一方の端部が自由となり、薄く形成された振動誘発部１Ａは、伝導した振動エネルギーを共鳴させ、さらに打撃時の振動を吸収、放出することができる。【００２０】  図５は、管状鉄製バット３とおもり２が合体した平面の断面図を表したものであり、振動誘発部１Ａ、おもりの端部に形成させる溝１Ｂ、振動伝導部１Ｃ・１Ｃ′、管状鉄製バット３、空間部４から構成される。管状鉄製バット３の先端内部に、おもり２は振動伝導部１Ｃ・１Ｃ′に支持されながら鉄製バットと円の中心点が一致するように真ん中に配置する。これにより管状鉄製バット３の中のおもり２の周辺に空間部が形成され、振動誘発部１Ｃ・１Ｃ′が効果的に振動を伝導する役割を果たす事ができる。【００２１】  図６は、打撃時の管状鉄製バット３を伝導する振動エネル���ーを表したものであり、おもり２、振動誘発部１Ａ、おもり２の長手方向端部に形成させる溝１Ｂ、振動伝導部１Ｃ・１Ｃ′、鉄製バット３、空間部４から構成される。打撃時に一気に広がった振動エネルギーが振動誘発部１Ａに集まり、放出されるところを表す。【００２２】  図７は、打撃時のおもりを伝導する振動エネルギーを斜視透過図であらわしたものであり、おもり２、振動誘発部１Ａ、おもりの端部に形成させる溝１Ｂ、振動伝導部１Ｃ・１Ｃ′、鉄製バット３、空間部４から構成される。打撃時に一気に広がった振動エネルギーが振動誘発部１Ａに集まり、放出されるところを表す。
【図面の簡単な説明】
【００２３】
【図１】  本発明の実施形態を示す打撃、素振り練習用鉄製バットに固定するおもりの斜視図
【図２】  同おもりの正面図
【図３】  同おもりの平面図
【図４】  鉄製バットとおもりの合体図  側面の断面図
【図５】  鉄製バットとおもりの合体図  平面の断面図
【図６】  打撃時のおもりを伝わる振動エネルギーの伝導図  側面の断面図
【図７】  打撃時のおもりを伝わる振動エネルギーの伝導図  斜視透過図
【符号の説明】
【００２４】  １Ａ    振動誘発部
１Ｂ    おもりの端部に形成させる溝
１Ｃ    振動伝導部（レール状凸部）
１Ｃ′  振動伝導部（レール状凸部）
２      おもり
３      鉄製バット
４      空間部
【図１】
2008061993.tif 000003
【図２】
2008061993.tif 000004
【図３】
2008061993.tif 000005
【図４】
2008061993.tif 000006
【図５】
2008061993.tif 000007
【図６】
2008061993.tif 000008
【図７】
2008061993.tif 000009